(57)【要約】  筐体３に保持された状態のモニタ１が上方向に押されると、モニタ１の回転に連動してクランプ２がプッシュラッチ４の方向へ直線運動し、係止穴１ｂから爪部２ａが外れてモニタ１が回転自在となると共に、ストライカ保持部４ａがストライカ２ｂに係合してプッシュラッチ４本体内に押し込まれて係合ロック状態になる。開いた状態のモニタ１が上方向に押されると、モニタ１の回転に連動してクランプ２がプッシュラッチ４の方向へ直線運動し、ストライカ２ｂと係合ロック状態のストライカ保持部４ａがプッシュラッチ４本体内に押し込まれて係合ロック解除状態になると共に、係合ロックが解除された爪部２ａがバネ５に付勢されて移動し、係止穴１ｂを係止してモニタ１を閉じた状態に保持する。
2011024210.tif 000002
【特許請求の範囲】
【請求項１】
筐体に略水平に保持されると共に、回転軸を中心に下方向に回転して開く蓋体と、
前記蓋体の回転軸が設けられた側とは反対の回転先端面に形成された蓋体係止穴と、
一端側に前記蓋体係止穴を係止するクランプ爪部が形成され、他端側にストライカが形成され、前記筐体により往復直線運動可能に保持されたクランプと、
前記筐体に取り付けられ、前記ストライカに係合するストライカ保持部を有し、前記筐体に保持された状態の前記蓋体の上方向の回転運動に連動して前記クランプが当該プッシュラッチの方向へ直線運動して前記蓋体係止穴から前記クランプ爪部が外れて前記蓋体が回転自在となると共に、前記ストライカ保持部が前記ストライカに係合して当該プッシュラッチ本体内に押し込まれて係合ロック状態になり、開いた状態の前記蓋体の上方向の回転運動に連動して前記クランプが当該プッシュラッチの方向へ直線運動し、前記ストライカと係合ロック状態の前記ストライカ保持部が当該プッシュラッチ本体内に押し込まれて係合ロック解除状態になるプッシュラッチと、
前記クランプを常時、前記蓋体係止穴の方向に付勢し、前記係合ロック解除で前記クランプを移動させ、前記クランプ爪部を前記蓋体係止穴に係止させて前記蓋体を略水平に保持する付勢手段と、
前記クランプと前記蓋体の間に設けられ、回転運動する前記蓋体に連動して前記クランプを前記プッシュラッチの方向へ直線運動させるクランプ動作手段とを備える蓋体開閉保持構造。
【請求項２】
クランプ動作手段は、クランプ爪部の下面が先端に向かって細くなる斜辺部と、蓋体が回転運動するときに前記斜辺部に当接する蓋体係止穴の下側突起部とを有することを特徴とする請求項１記載の蓋体開閉保持構造。
【請求項３】
蓋体係止穴からクランプ爪部が外れて回転自在となった蓋体を開き方向に回転させる蓋体付勢手段を備えることを特徴とする請求項１記載の蓋体開閉保持構造。
【請求項４】
筐体に略水平に保持されると共に、回転軸を中心に下方向に回転して開く蓋体と、
前記蓋体の回転軸が設けられた側とは反対の回転先端面に形成された蓋体係止穴と、
一端側に前記蓋体係止穴を係止するクランプ爪部が形成され、他端側に前記クランプ爪部を回転運動させるクランプ支軸が形成され、前記クランプ爪部と前記クランプ支軸の間にストライカが形成され、前記筐体により回転運動可能に保持されたクランプと、
前記筐体に取り付けられ、前記ストライカに係合するストライカ保持部を有し、前記筐体に保持された状態の前記蓋体の上方向の回転運動に連動して前記クランプが当該プッシュラッチの方向へ回転運動して前記蓋体係止穴から前記クランプ爪部が外れて前記蓋体が回転自在となると共に、前記ストライカ保持部が前記ストライカに係合して当該プッシュラッチ本体内に押し込まれて係合ロック状態になり、開いた状態の前記蓋体の上方向の回転運動に連動して前記クランプが当該プッシュラッチの方向へ回転運動し、前記ストライカと係合ロック状態の前記ストライカ保持部が当該プッシュラッチ本体内に押し込まれて係合ロック解除状態になるプッシュラッチと、
前記クランプを常時、前記蓋体係止穴の方向に付勢し、前記係合ロック解除で前記クランプを移動させ、前記クランプ爪部を前記蓋体係止穴に係止させて前記蓋体を略水平に保持する付勢手段と、
前記クランプと前記蓋体の間に設けられ、回転運動する前記蓋体に連動して前記クランプを前記プッシュラッチの方向へ回転運動させるクランプ動作手段とを備える蓋体開閉保持構造。
【請求項５】
クランプ動作手段は、クランプ爪部の下面が先端に向かって細くなる斜辺部と、蓋体が回転運動するときに前記斜辺部に当接する蓋体係止穴の下側突起部とを有することを特徴とする請求項４記載の蓋体開閉保持構造。
【請求項６】
蓋体係止穴からクランプ爪部が外れて回転自在となった蓋体を開き方向に回転させる蓋体付勢手段を備えることを特徴とする請求項４記載の蓋体開閉保持構造。
【発明の詳細な説明】
【技術分野】
【０００１】
この発明は、重量のある蓋体をプッシュ動作で開閉及び保持する蓋体開閉保持構造に関する。
【背景技術】
【０００２】
樹脂製の開閉蓋等、回転軸を中心にして開閉する蓋体を備える筐体は、一般的に、特許文献１に開示されたような既製のプッシュラッチを設けて、プッシュ動作にて蓋体を開閉する。筐体に取り付けたプッシュラッチの蓋体には保持部を設け、他方の蓋体には保持部の凹形状に合わせた凸状のストライカを設ける。このような筐体において、開いた状態の蓋体を押してストライカを保持部に入り込ませながらロック作動点まで押し込むと、プッシュラッチはロック状態となり、ストライカと保持部の係合により蓋体が閉じた状態に保持される。閉じた状態の蓋体を押してストライカごと保持部をロック解除点まで押し込むと、プッシュラッチはロック解除され、保持部が押し戻りながら傾動してストライカから外れる。すると、蓋体が開く。
【先行技術文献】
【特許文献】
【０００３】
【特許文献１】特許第３５５９９５４号公報
【発明の概要】
【０００４】
従来の蓋体開閉保持構造は以上のように構成されているので、重量の大きいモニタ等が開閉する筐体の場合、既製の小型プッシュラッチでは十分に保持力が確保できないという課題があった。そこで、例えばプッシュラッチを複数個取り付けたり、大型のプッシュラッチを取り付けたりして、蓋体の重量に応じた保持力を確保する構成がとられる。しかし、このような構成では、筐体内に設置スペースを大きく確保する必要があり、製品外形の大型化等、製品性を失うといった課題があった。
【０００５】
この発明は、上記のような課題を解決するためになされたもので、小型プッシュラッチを用いて、重量の大きい蓋体をプッシュ動作により開閉可能、かつ、閉じた状態に保持可能な蓋体開閉保持構造を提供することを目的とする。
【０００６】
この発明の蓋体開閉保持構造は、筐体に略水平に保持されると共に、回転軸を中心に下方向に回転して開く蓋体と、蓋体の回転軸が設けられた側とは反対の回転先端面に形成された蓋体係止穴と、一端側に蓋体係止穴を係止するクランプ爪部が形成され、他端側にストライカが形成され、筐体により往復直線運動可能に保持されたクランプと、筐体に取り付けられ、ストライカに係合するストライカ保持部を有し、筐体に保持された状態の蓋体の上方向の回転運動に連動してクランプが当該プッシュラッチの方向へ直線運動して蓋体係止穴からクランプ爪部が外れて蓋体が回転自在となると共に、ストライカ保持部がストライカに係合して当該プッシュラッチ本体内に押し込まれて係合ロック状態になり、開いた状態の蓋体の上方向の回転運動に連動してクランプが当該プッシュラッチの方向へ直線運動し、ストライカと係合ロック状態のストライカ保持部が当該プッシュラッチ本体内に押し込まれて係合ロック解除状態になるプッシュラッチと、クランプを常に、蓋体係止穴の方向に付勢し、係合ロック解除でクランプを移動させ、クランプ爪部を蓋体係止穴に係止させて蓋体を略水平に保持する付勢手段と、クランプと蓋体の間に設けられ、回転運動する蓋体に連動してクランプをプッシュラッチの方向へ直線運動させるクランプ動作手段とを備えるものである。
【０００７】
また、この発明の蓋体開閉保持構造は、筐体に略水平に保持されると共に、回転軸を中心に下方向に回転して開く蓋体と、蓋体の回転軸が設けられた側とは反対の回転先端面に形成された蓋体係止穴と、一端側に蓋体係止穴を係止するクランプ爪部が形成され、他端側にクランプ爪部を回転運動させるクランプ支軸が形成され、クランプ爪部とクランプ支軸の間にストライカが形成され、筐体により回転運動可能に保持されたクランプと、筐体に取り付けられ、ストライカに係合するストライカ保持部を有し、筐体に保持された状態の蓋体の上方向の回転運動に連動してクランプが当該プッシュラッチの方向へ回転運動して蓋体係止穴からクランプ爪部が外れて蓋体が回転自在となると共に、ストライカ保持部がストライカに係合して当該プッシュラッチ本体内に押し込まれて係合ロック状態になり、開いた状態の蓋体の上方向の回転運動に連動してクランプが当該プッシュラッチの方向へ回転運動し、ストライカと係合ロック状態のストライカ保持部が当該プッシュラッチ本体内に押し込まれて係合ロック解除状態になるプッシュラッチと、クランプを常時、蓋体係止穴の方向に付勢し、係合ロック解除でクランプを移動させ、クランプ爪部を蓋体係止穴に係止させて蓋体を略水平に保持する付勢手段と、クランプと蓋体の間に設けられ、回転運動する蓋体に連動してクランプをプッシュラッチの方向へ回転運動させるクランプ動作手段とを備えるものである。
【０００８】
この発明によれば、蓋体の回転に連動してクランプが直線運動又は回転運動してプッシュラッチを係合ロック及び解除すると共に、筐体に保持されたクランプが蓋体を係止するようにしてプッシュラッチに蓋体の荷重が掛からないようにしたので、小型プッシュラッチを用いて、重量の大きい蓋体をプッシュ動作により開閉可能、かつ、閉じた状態に保持可能な蓋体開閉保持構造を提供することができる。
【図面の簡単な説明】
【０００９】
【図１】この発明の実施の形態１に係るモニタ開閉保持構造の構成を示す側面図であり、モニタを閉じた状態を示す
【図２】図１に示すモニタ開閉保持構造においてモニタを開く動作を説明する側面図である。
【図３】図１に示すモニタ開閉保持構造においてモニタを閉じる動作を説明する側面図である。
【図４】この発明の実施の形態２に係るモニタ開閉保持構造の構成を示す側面図であり、図４（ａ）はモニタを閉じた状態、図４（ｂ）はモニタを開く動作、図４（ｃ）はモニタを閉じる動作を示す。
【図５】図１に示すモニタ開閉保持構造に蓋体付勢手段を設けた場合の構成を示す側面図である。
【発明を実施するための形態】
【００１０】
以下、この発明をより詳細に説明するために、この発明を実施するための形態について、添付の図面に従って説明する。
実施の形態１．
図１は、この発明の実施の形態１に係るモニタ開閉保持構造の構成を示す側面図であり、モニタを閉じた状態を示す。本実施の形態１では、蓋体開閉保持構造を適用する例として車載用の表示装置を用いる。車載用表示装置は、車両天井面に筐体３を固定して、この筐体３にモニタ１を水平に収納し、視聴の際には回転軸１ａを中心にしてモニタ１を回動させて重力方向へ開き、モニタ画面を後席側に向ける。なお、モニタ開閉保持構造の説明に必要な部分以外の図示を省略する。
【００１１】
モニタ（蓋体）１の回転軸１ａが設けられている側とは反対の回転先端側に係止穴１ｂが設けられている。この係止穴１ｂの上側を上側突起部１ｃ、下側を下側突起部１ｄと称する。そして、上側突起部１ｃより下側突起部１ｄのほうが長く、モニタ１が回転したときに上側突起部１ｃはクランプ２に当接しないが、下側突起部１ｄは当接する。
【００１２】
筐体３は、図１に斜線で示す部分である。この筐体３の、モニタ１が閉じる方向に押された際に接触する位置にストッパ３ａが設けられている。この例では、このストッパ３ａを弾性体で形成して、モニタ１が筐体３に当たった衝撃で損傷することを防止する。また、筐体３のモニタ１回転先端側と対面する位置に、クランプ２を水平方向に往復直線運動可能に挿通するためのガイド穴をあけ、このガイド穴周面をクランプ２のガイド部３ｂとする。
【００１３】
クランプ２は、モニタ１の係止穴（蓋体係止穴）１ｂを係止するための爪部（クランプ爪部）２ａと、この爪部２ａの下面が先端に向かって先細りする斜辺部２ｃと、プッシュラッチ４のストライカ保持部４ａの凹形状に合わせた凸状のストライカ２ｂとを有する。なお、モニタ１の下側突起部１ｄとクランプ２の斜辺部２ｃは、回転運動するモニタ１に連動してクランプ２を直線運動させるクランプ動作手段である。また、クランプ２と筐体３の間にバネ（付勢手段）５が取り付けられ、このバネ５が矢印Ａで示す方向、即ち係止穴１ｂの方向のテンションをクランプ２に常に与えている。
【００１４】
プッシュラッチ４は、クランプ２のストライカ２ｂに係合するためのストライカ保持部４ａを有する。このプッシュラッチ４は、ストライカ保持部４ａが矢印Ａで示す水平方向に往復直線運動できる状態に、筐体３に取り付けられる。このストライカ保持部４ａを矢印Ａとは逆の方向にロック作動点まで押し込むと、ストライカ保持部４ａが傾動してストライカ２ｂと係合した状態（係合ロック状態）になる。係合ロック状態のとき、ストライカ保持部４ａを矢印Ａとは逆の方向にロック解除点まで押し込むと、ストライカ保持部４ａが矢印Ａの方向に押し戻りながら傾動してストライカ２ｂから外れた状態（係合ロック解除状態）、即ち図１に示す状態になる。なお、プッシュラッチ４には、先立って説明した従来技術で示したような既製の小型プッシュラッチを用いればよいため、詳細な説明は省略する。
【００１５】
次に、モニタ開閉保持構造の動作を説明する。図２及び図３は、図１に示すモニタ開閉保持構造の側面図であり、図２は開く動作、図３は閉じる動作を示す。
モニタ１を開く際には、図２に示すように、ユーザが閉じた状態のモニタ１の回転先端側を上方向（矢印Ｐの方向）に押し込む。すると、モニタ１に設けられた下側突起部１ｄが、クランプ２の斜辺部２ｃをバネ５のテンションに抗ってプッシュラッチ４の方向に押し込み、クランプ２がガイド部３ｂにガイドされてプッシュラッチ４の方向に水平移動する。このとき、プッシュラッチ４のストライカ保持部４ａが傾動してクランプ２のストライカ２ｂに係合し、そのままクランプ２と共に水平移動する。
【００１６】
モニタ１がストッパ３ａに当接して停止したとき、クランプ２のストライカ２ｂは、プッシュラッチ４のロック作動点まで移動してストライカ保持部４ａに保持された状態となる。このとき、ユーザがモニタ１の矢印Ｐ方向の押し込みをやめれば、クランプ２のストライカ２ｂはストライカ保持部４ａによりやや押し戻された位置（図３に示す状態）でロックされる。プッシュラッチ４が係合ロック状態になると、モニタ１の係止穴１ｂとクランプ２の爪部２ａの係止が完全に外れるので、モニタ１が解放され、下方向に開くことができる。
【００１７】
モニタ１を閉じる際には、図３に示すように、ユーザが開いた状態のモニタ１の回転先端側を上方向（矢印Ｐの方向）に押し込む。プッシュラッチ４がクランプ２を引き寄せた状態で係合ロックしているので、モニタ１の上側突起部１ｃはクランプ２の斜辺部２ｃ及び爪部２ａに接触することなく通過し、上側突起部１ｃより長い下側突起部１ｄが斜辺部２ｃに接触する。すると、下側突起部１ｄが、クランプ２の斜辺部２ｃをバネ５のテンションに抗ってプッシュラッチ４の方向に押し込み、クランプ２がガイド部３ｂにガイドされてプッシュラッチ４の方向に水平移動する。このとき、ストライカ２ｂに係合しているプッシュラッチ４のストライカ保持部４ａも、クランプ２と共に水平移動してロック解除点まで押し込まれる。プッシュラッチ４がロック解除されると、ロック解除されたクランプ２がバネ５のテンションにより矢印Ａの方向に移動し、爪部２ａが係止穴１ｂを係止してモニタ１を閉じた状態に保持する。そのため、ユーザがモニタ１の矢印Ｐ方向の押し込みをやめても、図１に示す閉じた状態に保持されたままとなる。
【００１８】
モニタ１が閉じた状態のとき、モニタ１の荷重はクランプ２と筐体３のガイド部３ｂとに掛かり、プッシュラッチ４に掛かることはなく、プッシュラッチ４に掛かる荷重はバネ５の矢印Ａ方向のテンションに等しい。従って、クランプ２及びそれを支持する筐体３の強度を確保することで、車両振動等の外力を受けた場合にも重量の大きいモニタ１を確実に保持することができ、かつ、プッシュ動作により開閉できる。
さらに、小型のプッシュラッチ４を用いても高い保持力を確保できることから、モニタ開閉保持構造を筐体３内の少ない搭載スペースに設置可能となり、製品の小型化及びデザイン性の向上を図ることができる。
【００１９】
以上より、実施の形態１によれば、モニタ開閉保持構造が、筐体３に略水平に保持されると共に回転軸１ａを中心に下方向に回転して開くモニタ１と、筐体３の回転軸１ａが設けられた側とは反対の回転先端面に形成された係止穴１ｂと、一端側に係止穴１ｂを係止する爪部２ａが形成され、他端側にストライカ２ｂが形成され、筐体３のガイド部３ｂにより往復直線運動可能に保持されたクランプ２と、筐体３に取り付けられストライカ２ｂに係合するストライカ保持部４ａを有し、筐体３に保持された状態のモニタ１の上方向の回転運動に連動してクランプ２がプッシュラッチ４の方向へ直線運動して係止穴１ｂから爪部２ａが外れてモニタ１が回転自在となると共に、ストライカ保持部４ａがストライカ２ｂに係合してプッシュラッチ４本体内に押し込まれて係合ロック状態になり、開いた状態のモニタ１の上方向の回転運動に連動してクランプ２がプッシュラッチ４の方向へ直線運動し、ストライカ２ｂと係合ロック状態のストライカ保持部４ａがプッシュラッチ４本体内に押し込まれて係合ロック解除状態になるプッシュラッチ４と、クランプ２を常時係止穴１ｂの方向に付勢し、係合ロック解除でクランプ２を移動させ、爪部２ａを係止穴１ｂに係止させてモニタ１を略水平に保持するバネ５と、回転運動するモニタ１に連動してクランプ２をプッシュラッチ４の方向へ直線運動させる下側突起部１ｄ及び斜辺部２ｃとを備えるように構成した。
このため、モニタ１の回転に連動してクランプ２がプッシュラッチ４を係合ロック及び解除すると共に、筐体３のガイド部３ｂに保持されたクランプ２がモニタ１を係止するようにしてプッシュラッチ４にモニタ１の荷重が掛からないようにすることができる。よって、小型のプッシュラッチ４を用いて、重量のあるモニタ１をプッシュ動作により開閉すると共に、筐体３に保持することができる。また、小型のプッシュラッチ４を用いて高い保持力をもたせることが可能になることから、モニタ開閉保持構造を筐体３内の少ない搭載スペースに設置可能となり、製品の小型化及びデザイン性の向上を図ることができる。
【００２０】
また、実施の形態１によれば、クランプ動作手段として、クランプ２の爪部２ａの下面が先端に向かって細くなる斜辺部２ｃと、モニタ１が回転運動するときに斜辺部２ｃに当接するモニタ１の下側突起部１ｄとを有するように構成した。このため、簡易な構成で、モニタ１の開閉に連動してクランプ２を作動させることができる。
【００２１】
実施の形態２．
上記実施の形態１のモニタ開閉保持構造は、クランプ２が直線動作するように構成したが、本実施の形態２では回転動作するように構成する。図４は、この発明の実施の形態２に掛かるモニタ開閉保持構造の構成を示す側面図であり、図４（ａ）はモニタ１を閉じた状態、図４（ｂ）はモニタ１を開く動作、図４（ｃ）はモニタ１を閉じる動作を示す。なお、図４において図１〜図３と同一又は相当の部分については同一の符号を付す。
【００２２】
クランプ２の一端側には支軸２ｄが形成され、この支軸２ｄにバネ５が取り付けられている。また、この支軸２ｄは、モニタ１の上方を覆う筐体３のガイド部３ｃに取り付けられている。他方、クランプ２の他端部には爪部２ａ及び斜辺部２ｃが形成され、バネ５の矢印Ａ’で示す方向のテンションにより爪部２ａが支軸２ｄを中心に回転してモニタ１の係止穴１ｂを係止する。さらに、クランプ２の支軸２ｄと爪部２ａの間にはストライカ２ｂが形成されている。
プッシュラッチ４は、筐体３に垂設され、ストライカ保持部４ａが上下方向に動作する。
【００２３】
次に、モニタ開閉保持構造の動作を説明する。
モニタ１を開く際には、図４（ｂ）に示すように、ユーザが閉じた状態のモニタ１の回転先端側を上方向（矢印Ｐの方向）に押し込む。すると、モニタ１に設けられた下側突起部１ｄが、バネ５のテンションに抗って斜辺部２ｃを押し上げ、クランプ２が支軸２ｄを中心に上方向へ回転する。このとき、プッシュラッチ４のストライカ保持部４ａが傾動してクランプ２のストライカ２ｂに係合し、そのままクランプ２と共に上方向へ押し上げられる。
【００２４】
モニタ１が筐体３のガイド部３ｃの下面に当接して停止したとき、クランプ２のストライカ２ｂは、プッシュラッチ４のロック作動点まで移動してストライカ保持部４ａに保持された状態となる。このとき、ユーザがモニタ１の矢印Ｐ方向の押し込みをやめれば、クランプ２のストライカ２ｂはストライカ保持部４ａによりやや押し戻された位置（図４（ｃ）に示す状態）でロックされる。プッシュラッチ４が係合ロック状態となると、モニタ１の係止穴１ｂとクランプ２の爪部２ａの係止が完全に外れるので、モニタ１が解放され、下方向に開くことができる。
【００２５】
モニタ１を閉じる際には、図４（ｃ）に示すように、ユーザが開いた状態のモニタ１の回転先端側を上方向（矢印Ｐの方向）に押し込む。プッシュラッチ４はクランプ２を引き寄せた状態で係合ロックしているので、モニタ１の上側突起部１ｃはクランプ２の斜辺部２ｃ及び爪部２ａに接触することなく通過し、上側突起部１ｃより長い下側突起部１ｄが斜辺部２ｃに接触する。すると、下側突起部１ｄが、バネ５のテンションに抗って斜辺部２ｃを押し上げ、クランプ２が支軸２ｄを中心に上方向へ回転する。このとき、ストライカ２ｂに係合しているプッシュラッチ４のストライカ保持部４ａも、クランプ２と共に上方向に移動してロック解除点まで押し込まれる。プッシュラッチ４がロック解除されると、ロック解除されたクランプ２がバネ５のテンションにより矢印Ａ’の方向に回転し、爪部２ａが係止穴１ｂを係止してモニタ１を閉じた状態に保持する。そのため、ユーザがモニタ１の矢印Ｐ方向の押し込みをやめても、図４（ａ）に示す閉じた状態に保持されたままとなる。
【００２６】
モニタ１が閉じた状態のとき、モニタ１の荷重はモニタ１と筐体３のガイド部３ｃとに掛かり、プッシュラッチ４に掛かることはない。また、プッシュラッチ４に掛かる荷重はバネ５の矢印Ａ’方向のテンションであるが、この荷重は、クランプ２の支軸２ｄからストライカ２ｂまでの距離を変更することで調整が可能となる。さらに、上記実施の形態１では、モニタ１を係止する保持力はバネ５の矢印Ａ方向のテンションであるが、本実施の形態２ではクランプ２が回転運動するので保持力はバネ５のテンションと等しくならず、クランプ２の支軸２ｄから爪部２ａまでの距離を変更することで保持力の調整が可能となる。また、クランプ２の支軸２ｄからストライカ２ｂまでの距離、及び支軸２ｄから爪部２ａまでの距離を変更することで、モニタ１の押し込み量及び爪部２ａと係止穴１ｂの係り代の調整が可能となり、省スペース化を図ることができる。よって、設計の汎用性を向上させることができる。
【００２７】
以上より、実施の形態２によれば、筐体３に略水平に保持されると共に回転軸１ａを中心に下方向に回転して開くモニタ１と、モニタ１の回転軸１ａが設けられた側とは反対の回転先端面に形成された係止穴１ｂと、一端側に係止穴１ｂを係止す爪部２ａが形成され、他端側に爪部２ａを回転運動させる支軸２ｄが形成され、爪部２ａと支軸２ｄの間にストライカ２ｂが形成され、筐体３のガイド部３ｃに支軸２ｄが回転運動可能に保持されたクランプ２と、筐体３に取り付けられ、ストライカ２ｂに係合するストライカ保持部４ａを有し、筐体３に保持された状態のモニタ１の上方向の回転運動に連動してクランプ２がプッシュラッチ４の方向へ回転運動して係止穴１ｂから爪部２ａが外れてモニタ１が回転自在となると共に、ストライカ保持部４ａがストライカ２ｂに係合してプッシュラッチ４本体内に押し込まれて係合ロック状態になり、開いた状態のモニタ１の上方向の回転運動に連動してクランプ２がプッシュラッチ４の方向へ回転運動し、ストライカ２ｂと係合ロック状態のストライカ保持部４ａがプッシュラッチ４本体内に押し込まれて係合ロック解除状態になるプッシュラッチ４と、クランプ２を常時係止穴１ｂの方向に付勢し、係合ロック解除でクランプ２を移動させ、爪部２ａを係止穴１ｂに係止させてモニタ１を略水平に保持するバネ５と、回転運動するモニタ１に連動してクランプ２をプッシュラッチ４の方向へ回転運動させる下側突起部１ｄ及び斜辺部２ｃとを備えるように構成した。
このため、クランプ２が回転動作する構成にしても、上記実施の形態１と同様に、プッシュラッチ４ではなくクランプ２及び筐体３のガイド部３ｃによりモニタ１を支持するようにできる。よって、小型のプッシュラッチ４を用いて、重量のあるモニタ１をプッシュ動作により開閉すると共に、筐体３に閉じた状態で保持することができる。また、小型のプッシュラッチ４を用いて高い保持力をもたせることが可能になることから、モニタ開閉保持構造を筐体３内の少ない搭載スペースに設置可能となり、製品の小型化及びデザイン性の向上を図ることができる。
【００２８】
なお、上記実施の形態１及び２において、モニタを自動で任意の角度まで開かせるために、モニタに開き方向のテンションを与える蓋体付勢手段を設ける場合がある。図５は、上記実施の形態１のモニタ開閉保持構造に蓋体付勢手段を設けた場合の構成を示す側面図であり、図５において図１と同一又は相当の部分については同一の符号を付し説明を省略する。図５では蓋体付勢手段としてバネ６を用いることとし、このバネ６が、係止穴１ｂからクランプ２の爪部２ａが外れて回転自在となったモニタ１を下方向へ付勢して開かせる。このバネ６は、実施の形態２のモニタ開閉保持構造にも適用可能である。
ただし、モニタの重量が大きい場合には、より大きな開き方向のテンションをモニタに与える必要がある。その場合にも、本実施の形態１又は２のモニタ開閉保持構造を用いれば、モニタの自重と蓋体付勢手段のテンションが筐体とクランプに掛かり、プッシュラッチに掛かる荷重が増大することはない。従って、小型プッシュラッチで重量の大きい蓋体を閉じた状態に保持する保持力を確保することができる。
【産業上の利用可能性】
【００２９】
以上のように、この発明に係る蓋体開閉保持構造は、蓋体の荷重を小型プッシュラッチではなくクランプと筐体で支持するようにしたので、車載後席用天吊り表示装置のモニタ等、重量の大きな蓋体を開閉するための蓋体開閉保持構造に用いるのに適している。
【図１】
2011024210.tif 000003
【図２】
2011024210.tif 000004
【図３】
2011024210.tif 000005
【図４】
2011024210.tif 000006
【図５】
2011024210.tif 000007
【国際調査報告】
2011024210.tif 000008
2011024210.tif 000009